(57)【要約】      （修正有）【課題】特にスマートコントロール機能を備えたシャワー装置を提供する。【解決手段】本考案に係るスマートコントロールシャワー装置は、ベース１０と、ガラス壁２１と、ガラスドア２２と、固定壁と、横方向移動壁と、座席移動レールと、取っ手移動レールと、上下調整可能な座席と、上下調整可能な取っ手と、音声認識駆動装置と、リモコン駆動装置と、赤外線発熱駆動装置を設置するため、音声制御や、リモコン制御、赤外線発熱検知制御、手動制御などの制御方法により、横方向移動壁を移動させて、上下調整可能な座席及び上下調整可能な取っ手の上下位置をそれぞれ調整することができ、この構成によれば、年齢や身長などの、要素が異なる人々に応じて適当に調節することができ、その上、機能性にも優れると共に、構造も簡単であることから、体が不自由な障害者などに、使いやすいシャワー装置を提供できるので、使用上非常に便利であり、実用性が高い。【選択図】図１
0003217986.tif 000002
【実用新案登録請求の範囲】
【請求項１】
一側に前側部が設けられると共に、他側に後側部が設けられ、該前側部と後側部との間に摺動部が設けられる、ベースと、
前記ベースの前側部に取り付けられる、ガラス壁と、
前記ベースの摺動部に取り付けられる、ガラスドアと、
前記ベースの後側部に設置されると共に、上端及び底端にそれぞれレールが取り付けられる、ドアフレームと、
前記ドアフレームの内部に摺動可能に取り付けられると共に、底端に複数の輪を備え、これらの輪が摺動可能にレールに取り付けられる、固定壁と、
前記固定壁の前側面に設けられる、横方向移動壁と、
前記横方向移動壁の前側面に取り付けられる、座席移動レールと、
前記横方向移動壁の前側面に取り付けられると共に、前記座席移動レールの一側に取り付けられる、取っ手移動レールと、
前記座席移動レールに上下方向に移動可能に取り付けられる、上下調整可能な座席と、
前記取っ手移動レールに上下方向に移動可能に取り付けられる、上下調整可能な取っ手と、
前記横方向移動壁に取り付けられると共に、該横方向移動壁をドアフレームに対して移動させるための音声認識駆動装置と、
前記横方向移動壁に取り付けられると共に、該横方向移動壁をドアフレームに対して移動させる、リモコン駆動装置と、
前記横方向移動壁に取り付けられると共に、該横方向移動壁をドアフレームに対して移動させる、赤外線発熱駆動装置と、を有することを特徴とするスマートコントロールシャワー装置。
【請求項２】
前記音声認識駆動装置は、音声認識器と、制御リレーと、リレーと、正逆回転可能な直流モータと、２つの出力端子を備える変圧器と、１つの出力端子を備える変圧器を有し、
前記音声認識器が、横方向移動壁の後側面に設置され、
前記制御リレーが、音声認識器に電気接続され、
前記リレーが、制御リレーに電気接続され、
前記正逆回転可能な直流モータが、リレーに電気接続され、
前記２つの出力端子を備える変圧器が、音声認識器及び制御リレーに電気接続され、
前記１つの出力端子を備える変圧器が、リレー及び正逆回転可能な直流モータに電気接続されることを特徴とする請求項１に記載のスマートコントロールシャワー装置。
【請求項３】
前記リモコン駆動装置は、リモコン受信器と、リモコン送信器と、リレーと、正逆回転可能な直流モータと、１つの出力端子を備える変圧器を有し、
前記リモコン受信器が、横方向移動壁の後側面に設置され、
前記リモコン送信器が、リモコン受信器の信号を送受信し、
前記リレーが、リモコン受信器に電気接続され、
前記正逆回転可能な直流モータが、リレーに電気接続され、
前記１つの出力端子を備える変圧器が、リモコン受信器と、リレーと、正逆回転可能な直流モータに電気接続されることを特徴とする請求項１に記載のスマートコントロールシャワー装置。
【請求項４】
前記赤外線発熱駆動装置は、赤外線温度センサと、センサ制御リレーと、リレーと、正逆回転可能な直流モータと、１つの出力端子を備える変圧器を有し、
前記赤外線温度センサが、横方向移動壁の後側面に設置され、
前記センサ制御リレーが、赤外線温度センサに電気接続され、
前記リレーが、センサ制御リレーに電気接続され、
前記正逆回転可能な直流モータが、リレーに電気接続され、
前記１つの出力端子を備える変圧器が、赤外線温度センサと、センサ制御リレーと、リレーと、正逆回転可能な直流モータに電気接続されることを特徴とする請求項１に記載のスマートコントロールシャワー装置。
【請求項５】
前記ドアフレームの上端のレールの形状が円柱体であり、
前記ドアフレームの底端のレールの形状が三角体であることを特徴とする請求項１乃至４の何れか１項に記載のスマートコントロールシャワー装置。
【請求項６】
前記座席移動レール及び取っ手移動レールにそれぞれ、昇降調節器が取り付けられ、一方の昇降調節器が上下調整可能な座席の垂直高度を調節し、他方の昇降調節器が上下調整可能な取っ手の垂直高度を調節することを特徴とする請求項１乃至４の何れか１項に記載のスマートコントロールシャワー装置。
【請求項７】
前記ガラスドアに取っ手が取り付けられることを特徴とする請求項１乃至４の何れか１項に記載のスマートコントロールシャワー装置。
【請求項８】
前記輪がVプーリーであることを特徴とする請求項１乃至４の何れか１項に記載のスマートコントロールシャワー装置。
【考案の詳細な説明】
【技術分野】
【０００１】
本考案は、特にスマートコントロール機能を備えるシャワー装置に関するものである。
【背景技術】
【０００２】
既存のシャワー設備は、機能がシンプルであり、スマートコントロール機能を有しないので、不自由な人または障害者にとって利用上非常に不便である。
【考案の概要】
【考案が解決しようとする課題】
【０００３】
しかしながら、既存のシャワー設備は、座ったままではなく、殆ど立ったままシャワーを浴びる必要があることから、体調が悪かあったり、立っていられない状態の場合や、不自由な人または障害者にとって非常に不便であり、更に、音声による浴室ドアの開閉しか制御できなく、機能性が低いことから、スマート制御及び制御機能を向上させる必要があった。
【課題を解決するための手段】
【０００４】
本考案に係るスマートコントロールシャワー装置は、
一側に前側部が設けられると共に、他側に後側部が設けられ、該前側部と後側部との間に摺動部が設けられる、ベースと、
前記ベースの前側部に取り付けられる、ガラス壁と、
前記ベースの摺動部に取り付けられる、ガラスドアと、
前記ベースの後側部に設置されると共に、上端及び底端にそれぞれレールが取り付けられる、ドアフレームと、
前記ドアフレームの内部に摺動可能に取り付けられると共に、底端に複数の輪を備え、これらの輪が摺動可能にレールに取り付けられる、固定壁と、
前記固定壁の前側面に設けられる、横方向移動壁と、
前記横方向移動壁の前側面に取り付けられる、座席移動レールと、
前記横方向移動壁の前側面に取り付けられると共に、前記座席移動レールの一側に取り付けられる、取っ手移動レールと、
前記座席移動レールに上下方向に移動可能に取り付けられる、上下調整可能な座席と、
前記取っ手移動レールに上下方向に移動可能に取り付けられる、上下調整可能な取っ手と、
前記横方向移動壁に取り付けられると共に、該横方向移動壁をドアフレームに対して移動させるための音声認識駆動装置と、
前記横方向移動壁に取り付けられると共に、該横方向移動壁をドアフレームに対して移動させる、リモコン駆動装置と、
前記横方向移動壁に取り付けられると共に、該横方向移動壁をドアフレームに対して移動させる、赤外線発熱駆動装置と、を有するものである。
【考案の効果】
【０００５】
本考案に係るスマートコントロールシャワー装置は、音声制御や、リモコン制御、赤外線発熱検知制御、手動制御などの手段により、横方向移動壁を往復移動させると共に、上下調整可能な着席の上下位置を調整できることから、使用者が浴室の入口で上下調整可能な座席に座ってから横方向に移動させて所望の位置に位置決めることができるので、体調が悪い人や、立っているのが難しい人、或いは、不自由な人または障害者にとって使用上非常に便利である。また、上下調整可能な座席及び上下調整可能な取っ手４６が設置されていることから、昇降調節器によりそれぞれの所望の高さまで自由に上下調整することができ、年齢や、身長などの要素が異なる人々に対応することができるので、機能性及び実用性に優れている。
【０００６】
音声認識駆動装置を使用する場合は、使用者が浴室の入口で声により指令を出し、音声認識器が指令を認識して正確な指令と判断すると、制御リレーがリレーを介して正逆回転可能な直流モータを駆動し、該正逆回転可能な直流モータにより横方向移動壁を内側または外側に移動させると共に、上下調整可能な座席及び上下調整可能な取っ手を横方向移動壁の移動に伴って上下方向に適当に調整する。
【０００７】
使用者がリモコン駆動装置を用いて横方向移動壁を移動させる場合は、リモコン送信器のボタンを押してリモコン受信器に信号を送ると、該リモコン受信器が信号を受信し、リレーを介して正逆回転可能な直流モータを駆動させ、該正逆回転可能な直流モータにより横方向移動壁４２を内側または外側に移動させる。
【０００８】
一方、使用者が赤外線発熱駆動装置を用いて横方向移動壁を移動させる場合は、赤外線温度センサがガラスドアの開いた状態を検知すると、該赤外線温度センサがセンサ制御リレーに信号を送信し、該センサ制御リレーがリレーを介して正逆回転可能な直流モータを駆動させ、該正逆回転可能な直流モータにより横方向移動壁を内側または外側に移動させる。
【０００９】
さらに、停電の場合には、その正逆回転可能な直流モータが電力を失って稼動できなくなるが、使用者が手を用いて横方向移動壁を押すことにより、レールに沿って内側または外側に移動させることができる。尚、本考案に係るスマートコントロールシャワー装置は、音声制御や、リモコン制御、赤外線発熱検知制御、手動制御などの手段により横方向移動壁の往復移動を行うため、体調が悪い人や、立つことのできない人、、或いは、または障害者に対して非常に便利である。
【図面の簡単な説明】
【００１０】
【図１】本考案に係るスマートコントロールシャワー装置の斜視図である。
【図２】本考案に係るスマートコントロールシャワー装置のドアフレーム及びシャワー装置の斜視図である。
【図３】本考案に係るスマートコントロールシャワー装置の横方向移動壁の斜視図である。
【図４】本考案に係るスマートコントロールシャワー装置における音声認識駆動装置の制御原理説明図である。
【図５】本考案に係るスマートコントロールシャワー装置におけるリモコン駆動装置の制御原理説明図である。
【図６】本考案に係るスマートコントロールシャワー装置における赤外線発熱駆動装置の制御原理説明図である。
【考案を実施するための形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１に示すように、本考案に係るスマートコントロールシャワーは、ベース１０を備え、該ベース１０の一側に前側部１１が形成されると共に、他側に後側部が形成され、該前側部１１と後側部との間に摺動部１２が設置される。尚、前記ベース１０の摺動部１２の他側が壁に付けるように配置されると共に、壁にシャワーが取り付けられるが、これに限らず、他の方法を用いてもよい。
【００１３】
図１及び図２に示すように、前記ベース１０における前側部１１の上部にガラス壁２１が取り付けられ、前記摺動部１２の上部にガラスドア２２が取り付けられ、該ベース１０の後側面にドアフレーム３０が取り付けられる。尚、前記ガラスドア２２には取っ手２３が取り付けられるが、取っ手２３を有しなくてもよい。
【００１４】
図２に示すように、前記ドアフレーム３０の上端及び底端にそれぞれレール３１が取り付けられ、該ドアフレーム３０における上端のレール３１の形状は円柱体であり、底端のレール３１の形状は三角体であるが、これに限定されることはなく、他の形状であってもよい。
【００１５】
前記ドアフレーム３０の内部に固定壁４０が摺動可能に設けられ、該固定壁４０の底端に複数の輪４１が設置され、これらの輪４１は、摺動可能にドアフレーム３０のレール３１に取り付けられ、この構成によれば、固定壁４０をドアフレーム３０に対して横方向に摺動させることができる。尚、本実施例における輪４１は、Vプーリーであるが、これに限定されることはなく、他の形状であってもよい。
【００１６】
図２及び図３に示すように、前記固定壁４０の前側面に横方向移動壁４２が設置され、該横方向移動壁４２の前側面に座席移動レール４３及び取っ手移動レール４４が取り付けられ、該取っ手移動レール４４は、座席移動レール４３の一側に位置する。
【００１７】
前記座席移動レール４３に、上下調整可能な座席４５が上下方向に移動自在に設置され、前記取っ手移動レール４４に上下調整可能な取っ手４６が上下方向に移動自在に設置される。尚、本実施例においては、前記座席移動レール４３の一側に昇降調節器（図示せず）が設置され、前記取っ手移動レール４４の一側にも昇降調節器（図示せず）が設置されることから、昇降調節器により座席４５の座席移動レール４３に対する上下方向の位置を調節することができると共に、昇降調節器により取っ手４６の取っ手移動レール４４に対する上下方向の位置を調節することができるが、昇降調節器を有しなくても構わない。
【００１８】
さらに、図４、図５、図６に示すように、横方向移動壁４２の後側面には、音声認識駆動装置と、リモコン駆動装置と、赤外線発熱駆動装置が設けられ、これらの装置を用いて横方向移動壁４２をドアフレーム３０に対して横方向に移動させるが、音声認識駆動装置、リモコン駆動装置、赤外線発熱駆動装置の何れか１つのみを有する構成であっても構わない。
【００１９】
図３及び図４に示すように、前記音声認識駆動装置は、音声認識器と、制御リレーと、リレーと、正逆回転可能な直流モータと、２つの出力端子を備える変圧器と、１つの出力端子を備える変圧器を有し、該音声認識器は、横方向移動壁４２の後側面に設置され、且つ制御リレーに電気接続され、前記リレーは、制御リレーに電気接続されると共に、前記正逆回転可能な直流モータは、リレーに電気接続され、前記２つの出力端子を備える変圧器は、音声認識器及び制御リレーに電気接続され、該１つの出力端子を備える変圧器は、リレー及び正逆回転可能な直流モータに電気接続される。
【００２０】
図３及び図４に示すように、前記リモコン駆動装置は、リモコン受信器と、リモコン送信器と、リレーと、正逆回転可能な直流モータと、１つの出力端子を備える変圧器を有し、該リモコン受信器は、横方向移動壁４２の後側面に設置され、該リモコン送信器と信号を送受信し、該リレーは、リモコン受信器に電気接続され、該正逆回転可能な直流モータは、リレーに電気接続され、前記１つの出力端子を備える変圧器は、リモコン受信器と、リレーと、正逆回転可能な直流モータに電気接続される。
【００２１】
図３及び図６に示すように、前記赤外線発熱駆動装置は、赤外線温度センサと、センサ制御リレーと、リレーと、正逆回転可能な直流モータと、１つの出力端子を備える変圧器を有し、該赤外線温度センサは、横方向移動壁４２の後側面に設置され、且つセンサ制御リレーに電気接続され、該リレーは、センサ制御リレーに電気接続され、該正逆回転可能な直流モータは、リレーに電気接続され、該１つの出力端子を備える変圧器は、赤外線温度センサと、センサ制御リレーと、リレーと、正逆回転可能な直流モータに電気接続される。
【００２２】
図３及び図４に示すように、本考案に係るスマートコントロールシャワー装置を、音声認識駆動装置を用いて起動する時は、使用者が浴室の入口で声により指令を出して、横方向移動壁４２の後側面に取り付けた音声認識器にがその指令を認識して正確な指令であると判断すると、制御リレーがリレーを介して正逆回転可能な直流モータを駆動させることにより、横方向移動壁４２を横方向に移動させるので、使用者が昇降調節器を用いて上下調整可能な座席４５及び上下調整可能な取っ手４６の上下位置を調整することができる。
【００２３】
図３及び図５に示すように、本考案に係るスマートコントロールシャワー装置を、リモコン駆動装置を用いて起動する時は、使用者がリモコン送信器のボタンを押して、横方向移動壁４２の後側面に取り付けたリモコン受信器に信号を送出すると、リモコン受信器がリレーを介して正逆回転可能な直流モータを駆動させるので、横方向移動壁４２を横方向に移動させることができる。
【００２４】
図３及び図６に示すように、本考案に係るスマートコントロールシャワー装置を、赤外線発熱駆動装置を用いて起動する時は、横方向移動壁４２に取り付けた赤外線温度センサがガラスドア２２の移動状態を自動的に検知して、該ガラスドア２２が開くと、信号をセンサ制御リレーに送信し、該センサ制御リレーがリレーを介して正逆回転可能な直流モータを駆動させるので、横方向移動壁４２を横方向に移動させることができる。
【００２５】
一方、停電が発生した場合は、その正逆回転可能な直流モータが電力を失って稼動できなくなるが、使用者が手で横方向移動壁４２を押すことによりレール３１に沿って移動させることができる。
【００２６】
このように、本考案に係るスマートコントロールシャワー装置は、音声制御や、リモコン制御、赤外線発熱検知制御、手動制御などの制御方法により、横方向移動壁４２を移動させて、上下調整可能な座席４５及び上下調整可能な取っ手４６の上下位置をそれぞれの昇降調節器により調整することができ、この構成によれば、年齢や身長などの、要素が異なる人々に応じて適当に調節することができ、その上、機能性にも優れると共に、構造も簡単であることから、体が不自由な障害者などに、使いやすいシャワー装置を提供できるので、使用上非常に便利であり、実用性が高い。
【符号の説明】
【００２７】
１０ ベース
１１ 前側部
１２ 摺動部
２１ ガラス壁
２２ ガラスドア
２３ 取っ手
３０ ドアフレーム
３１ レール
４０ 固定壁
４１ 輪
４２ 横方向移動壁
４３ 座席移動レール
４４ 取っ手移動レール
４５ 上下調整可能な座席
４６ 上下調整可能な取っ手
【図１】
0003217986.tif 000003
【図２】
0003217986.tif 000004
【図３】
0003217986.tif 000005
【図４】
0003217986.tif 000006
【図５】
0003217986.tif 000007
【図６】
0003217986.tif 000008